(57)【要約】    【課題】  ズーミング時にレンズ群が移動するときの移動音（ズーム音）が小さく、また簡易な構成により高倍率のマクロ撮影ができるレンズ鏡筒及びそれを有する光学機器を得ること。    【解決手段】  移動筒の光軸方向位置によって沈胴状態、ズーム撮影状態又はマクロ撮影状態のいずれか１つの状態をとり、前記ズーム撮影状態では、前記移動筒は光軸方向に不動であり、第１の駆動源によってレンズ群を前記移動筒に対して相対的に光軸方向に駆動させ、前記沈胴状態及びマクロ撮影状態では、第２の駆動源によって前記カム環を光軸回りに回転駆動させることで前記移動筒を光軸方向に駆動させること。【選択図】    図１
2010204613.tif 000002
【特許請求の範囲】
【請求項１】
レンズ群と、
前記レンズ群を相対的に光軸方向に移動可能に保持する移動筒と、
前記移動筒に設けられ、前記レンズ群を前記移動筒に対して相対的に光軸方向に駆動させる第１の駆動源と、
前記移動筒と係合し、光軸回りに回転させることによって前記移動筒を光軸方向に移動させるカム環と、
前記カム環を光軸回りに回転駆動させる第２の駆動源と、を有し、
前記移動筒は、前記移動筒の光軸方向位置によって沈胴状態、ズーム撮影状態又はマクロ撮影状態のいずれか１つの状態をとり、
前記ズーム撮影状態では、前記移動筒は光軸方向に不動であり、前記第１の駆動源によって前記レンズ群を前記移動筒に対して相対的に光軸方向に駆動させることでズーミングを行い、
前記沈胴状態または前記ズーム撮影状態から、前記マクロ撮影状態に設定されるときは、前記第２の駆動源によって前記カム環を光軸回りに回転駆動させることで前記移動筒を光軸方向に駆動させることによって設定されることを特徴とするレンズ鏡筒。
【請求項２】
前記沈胴状態から前記ズーム撮影状態に設定されるとき又はズーム状態から沈胴状態に設定されるときには、前記第２の駆動源によって前記カム環を光軸回りに回転駆動させて前記移動筒を光軸方向に移動させるか、又は前記第２の駆動源によって前記カム環を光軸回りに回転駆動させて前記移動筒を光軸方向に移動させるとともに前記第１の駆動源によって前記レンズ群を前記移動筒に対して相対的に光軸方向に駆動させることによって設定されることを特徴とする請求項１に記載のレンズ鏡筒。
【請求項３】
請求項１または２に記載のレンズ鏡筒を備えたことを特徴とする光学機器。
【請求項４】
前記沈胴状態または前記ズーム撮影状態から、前記マクロ撮影状態のテレマクロに設定されるときに、前記レンズ群中のズームレンズの焦点距離により、前記第１の駆動源を駆動させるか否かを判定する判定手段を有することを特徴とする請求項３に記載の光学機器。
【発明の詳細な説明】
【技術分野】
【０００１】
本発明はレンズ鏡筒およびこれを用いた光学機器に関し、例えばスチルカメラ、デジタルスチルカメラ、ビデオカメラ、ＴＶカメラ等に好適なものである。
【背景技術】
【０００２】
従来、デジタルカメラなどの光学機器では、撮影を行うときカメラ本体（撮影装置本体）からのレンズ鏡筒の一部を繰出し、撮影を行っている。そして撮影を行わない携帯時（非撮影時）には、レンズ鏡筒の一部をカメラ本体に収容させて全長を短くし、携帯性を高めたいわゆる沈胴方式のレンズ鏡筒が多く用いられている。また、レンズ鏡筒の多くには複数の移動レンズ枠を移動させるためのズーム機構（移動機構）が設けられている。更に通常撮影可能な距離の至近距離よりも更に近距離の撮影を可能とするマクロ撮影ができるようにしたマクロ機構が設けられている。
【０００３】
従来より、カム環に設けられたインナーカム溝と固定鏡筒に設けられた案内溝（または直進溝）および移動レンズ保持枠に設けられたカムフォロアーを利用したズーム機構を有したレンズ鏡筒が知られている（特許文献１）。このレンズ鏡筒では、カム環の回動により、複数の移動レンズ保持枠を光軸方向に移動させ、焦点距離（ズーム位置）を変えている。このカム環の内周面にはカム溝が形成され、このカム溝のカム軌跡に沿って、複数の移動レンズ保持枠が移動する。このうち１つの移動レンズ保持枠は、移動レンズ保持枠と一体的に結合された移動筒の外周面に設けられたカムフォロアーが固定の案内筒（固定部材）に設けた案内溝とカム溝に係合し、光軸方向に移動する。また、もうひとつの移動レンズ保持枠も、同様に移動レンズ保持枠に設けたカムフォロアーが案内筒に設けた案内溝とカム溝に係合し、光軸方向に移動する。カム環は案内筒の外周面と嵌合し、光軸回りに回転自在である。カム環にはギアが形成され、アクチュエータの出力ギアと連結されている。したがって、アクチュエータが駆動されると、その出力ギアを介してカム環が回転し、移動レンズ保持枠、移動筒、及びもうひとつの移動レンズ保持枠が移動してズーミングが行われる。そして、更には沈胴状態（収納状態）位置まで移動する。
【０００４】
一方、ズームレンズにおけるマクロ機構の方式としては、最短撮影距離を短縮してマクロ領域とするフォーカス延長マクロ方式がある。この他、複数のレンズ群を移動させて高倍率を得る複数レンズ群移動のマクロ方式が知られている。
【先行技術文献】
【特許文献】
【０００５】
【特許文献１】特開2002-350706号公報
【発明の概要】
【発明が解決しようとする課題】
【０００６】
従来のレンズ鏡筒では、ズーミングに際してカム環の回動により移動レンズ枠を移動させている。カム環をアクチュエータの出力ギアを介して移動させると、ズーム音が高くなり、この方式は撮影に際して要求される静音化には不向きである。詳しくには、カム環の駆動源となるアクチュエータを複数の減速ギア列で構成しているため、大きなギア音が発生する。更には、カム環と固定の案内筒との回転摺動音が大きく発生し、ズーム音が高くなる傾向があった。特に近年のデジタルスチルカメラでは、ビデオカメラと同様、動画撮影機能も搭載されており、ズーム音の静音化が強く要望されている。また、最近のカメラ（光学機器）には、高倍率のマクロ撮影ができることが要望されている。このようなマクロ撮影の観点から、前述したフォーカス延長マクロ方式では十分な高倍率が得られないという欠点があった。このためマクロ撮影には複数の移動レンズ枠が移動する複数レンズ群移動方式が要望されている。複数レンズ移動方式は、複数の移動レンズ枠を移動させねばならないので、レンズ鏡筒が複雑になる傾向があった。
【０００７】
本発明は、ズーミング時に移動レンズ枠が移動するときの移動音（ズーム音）が小さく、また簡易な構成により高倍率のマクロ撮影ができるレンズ鏡筒及びそれを有する光学機器の提供を目的とする。
【課題を解決するための手段】
【０００８】
本発明のレンズ鏡筒は、カム環を固定部材に設けた駆動源により駆動させることにより、複数の移動レンズ枠を移動可能に保持する移動筒が光軸方向に進退し、沈胴状態、ズーム撮影状態及びマクロ撮影状態となる構成のレンズ鏡筒において、ズーム撮影時には、前記移動筒は不動で前記複数の移動レンズ枠が前記移動筒に設けた駆動源により光軸方向に移動させられ、マクロ撮影設定時には、前記カム環が駆動させられることを特徴としている。
【発明の効果】
【０００９】
本発明によれば、ズーミング時に移動レンズ枠が移動するときの移動音（ズーム音）が小さく、また簡易な構成により高倍率のマクロ撮影ができるレンズ鏡筒及びそれを有する光学機器が得られる。
【図面の簡単な説明】
【００１０】
【図１】本発明の実施形態であるレンズ鏡筒の構成を説明する分解斜視図である
【図２】図１のレンズ鏡筒の沈胴状態を説明する断面図である
【図３】図１のレンズ鏡筒のワイド状態を説明する断面図である
【図４】図１のレンズ鏡筒のミドル状態を説明する断面図である
【図５】図１のレンズ鏡筒のテレ状態を説明する断面図である
【図６】図１のレンズ鏡筒の移動筒７を一部切り欠いた前側ユニットの構成を説明する組立て斜視図である
【図７】図１のレンズ鏡筒の移動筒７を一部切り欠いた前側ユニットの構成を説明する組立て斜視図である
【図８】図１のカム環６のカム溝展開図である
【図９】図１の円筒カム環２４のカム溝展開図である
【図１０】本実施形態におけるテレマクロ設定のフローチャート図である
【図１１】本実施形態のレンズ鏡筒のテレマクロ状態を説明する断面図である
【発明を実施するための形態】
【００１１】
本発明のレンズ鏡筒を後述する各部材の符番を用いて説明すると、次のとおりである。本発明のレンズ鏡筒は、カム環６を駆動源３０（第２の駆動源）により駆動させることにより、複数の移動レンズ枠９、１７及び第１移動レンズ群２、第２移動レンズ群３（レンズ群）を光軸方向に移動可能に保持する移動筒７が光軸方向に進退する。この移動筒７の光軸方向位置によって、沈胴状態、ズーム撮影状態及びマクロ撮影状態となる構成である。ズーム撮影状態では、移動筒７は光軸方向に不動でレンズ群が移動筒７に一体的に設けた駆動源２５（第１の駆動源）により移動筒７に対して相対的に光軸方向に移動させられることによってズーミングが行われる。マクロ撮影状態に設定されるときには、カム環６が光軸回りに回転駆動して、それに伴って移動筒７を光軸方向へ移動させることで設定される。沈胴状態からズーム撮影状態に設定されるとき又はズーム撮影状態から沈胴状態に設定されるときには、駆動源３０を駆動させてカム環６を回転駆動させて移動筒７を光軸方向前方に移動させることで設定される。又は駆動源３０を駆動させてカム環６を回動させて移動筒７を光軸方向前方に移動させるとともに、移動筒７に一体的に設けた駆動源２５を駆動させてレンズ群を移動させることで設定される。
【００１２】
［実施例］
図１から図１１には、本発明の実施形態であるデジタルスチルカメラ用のレンズ鏡筒の説明図である。図１は、レンズ鏡筒の分解図である。図２はレンズ鏡筒の沈胴状態の説明図である。図３はレンズ鏡筒に設けたズームレンズのワイドズーム状態（広角）、図４はレンズ鏡筒のミドルズーム状態、図５はレンズ状態のテレズーム状態（望遠）の説明図である又、図６、図７には、後に説明する移動筒の外壁を一部切り欠き、一部の部品を省いた前側ユニットの組立て斜視図である。図８はカム環のカム溝の説明図である。図９は円筒カムのカム溝の説明図である。図１０はマクロ撮影に関するフローチャート図である。図１１はマクロ撮影時のレンズ鏡筒の説明図である。
【００１３】
これらの図において、１はレンズ鏡筒全体を支え、ＣＣＤ取付け部１ａを有するＣＣＤホルダー（固定部材）である。２は第１レンズ２ａと第２レンズ２ｂからなる第１移動レンズ群、３は第２移動レンズ群、４は第３移動レンズ群である。これらの移動レンズ群２、３、４はズームレンズを構成している。５はＣＣＤホルダー１に固定された案内筒（固定筒）である。ズーミングに際しては第１移動レンズ群２、第２移動レンズ群３、第３移動レンズ群４が移動する。尚、本実施例において第３移動レンズ群４は必ずしも必要でない。また、このＣＣＤホルダー１に固定された案内筒５の鏡筒本体部分に対して、後に説明する移動筒７が光軸方向に進退することにより、収納状態（沈胴状態）または撮影可能状態となる。広角端のズーム位置から望遠端のズーム位置へのズーミングに際して、第１移動レンズ枠２は像側に凸状の軌跡を描いて移動する。第２移動レンズ群３は物体側へ移動する。第３移動レンズ群４は物体側又は像側へ移動する。
【００１４】
６は案内筒５の外周に回転可能に嵌合されたカム環である。このカム環６は、案内筒５に設けた突き当て部５ａと突起部５ｂとに内径リブ６ａがバヨネット結合されることによって光軸方向の動きが阻止されている。３０はＢＯＸ内に減速機構（減速ギア列）が内蔵されたステッピングモータ（駆動源）である。このステッピングモータ３０は、案内筒５に固定したＣＣＤホルダー（固定部材）１に取り付けられており、出力ギアがカム環６の大ギア部６ｄにかみ合っている。３４はフォトインタラプターであり、ＣＣＤホルダーに設けられており、カム環６の回転絶対位置をカム環６に一体的に設けた遮光壁６ｅで検知している。そして検知した信号によりステッピングモータ３０を制御回路（不図示）からのフレキシブルプリント基板（不図示）を介して伝達された駆動信号によって駆動制御する。
【００１５】
８は第１レンズ２ａを保持する２ａレンズ枠、９は第２レンズ２ｂを保持する第１移動レンズ枠である。２ａレンズ枠８は第１移動レンズ枠９に対して、レンズ完成状態で微小な光学調整が行われる。具体的には、２ａレンズ枠８は光軸と直交する方向に偏芯できるように設定されており、ベストな光学状態になるように偏芯調整を行う。調整後は２ａレンズ枠８と第１移動レンズ枠９とを接着等により結合させる。７は広角端から望遠端へのズーミング撮影時に第１移動レンズ群２及び第２移動レンズ群３を移動させるための、後に説明する案内部材（移動筒）であり、アクチュエータ（駆動源）２５等が一体的に設けられている。この移動筒７の外周には、案内筒５に形成された案内溝部５ｃに嵌合し、かつカム環６の内周に形成されたカム溝部６ｂに係合するテーパーコロ（カムフォロアー）１０が固定されている。
【００１６】
１１は第１移動レンズ枠９に固定された飾り環、１２は飾り環１１の外周部に巻かれたゴミ進入防止シートである。１３、１４、１５は光軸方向又は略光軸方向に延びるガイドバー（ガイド部材）である。これらガイドバー１３、１４、１５はそれぞれ、光軸方向前端部が移動筒７内に設けられた片端支持部７ｂ、７ｃ等に固定され、後端部が移動筒７の後端部に一体的に結合された金属板（固定部材）１６に固定されている。なお、金属板１６は、移動筒７の後端部に設けられた位置決めダボ１７ａによって位置決めされている。第１移動レンズ枠９のスリーブ部９ａは、ガイドバー１４に嵌合し、Ｕ溝部９ｂはガイドバー１５に係合している。これにより、第１移動レンズ枠９（第一移動レンズ群２）は、スリーブ部９ａとガイドバー１４との嵌合によって光軸方向に移動ガイドされ、Ｕ溝部９ｂとガイドバー１５との係合によってガイドバー１４を中心とした回転が阻止される。
【００１７】
１７は第２移動レンズ３を保持する第２移動レンズ枠である。この第２移動レンズ枠１７に設けられたスリーブ部１７ａはガイドバー１３に嵌合し、Ｕ溝部１７ｂはガイドバー１５に係合している。これにより、第２移動レンズ枠１７は、スリーブ部１７ａとガイドバー１３との嵌合によって光軸方向に移動ガイドされ、Ｕ溝部１７ｂとガイドバー１５との係合によってガイドバー１３を中心とした回転が阻止される。２４は第１移動レンズ枠９（第１移動レンズ群２）と第２移動レンズ枠１７（第２移動レンズ群３）を撮影時に光軸方向に移動させる円筒カム環（円筒カム筒）である。円筒カム環２４は移動筒７内に設けた軸受け部７ａにその前端部を、後端部を金属板１６に回転可能に嵌合保持されている。円筒カム環２４の外周面には、第１移動レンズ群２を保持する第１移動レンズ枠９の移動用の移動カム軌跡２４ａが形成されており、移動カム軌跡２４ａは第１移動レンズ枠９に一体的に設けられたテーパーピン（カムフォロワー）９ｃと係合している。２４ｂは円筒カム環２４の外周面に設けた第２移動レンズ３の移動用の移動カム軌跡で、第２移動レンズ枠１７に一体的に設けられたテーパーピン（カムフォロワー）１７ｃに係合している。
【００１８】
２５は円筒カム環２４を回転させる、つまり第１移動レンズ群２と第２移動レンズ３を光軸方向に移動させて、ズーミングを行うステッピングモータ（第１の駆動源）である。ステッピングモータ２５は、円筒カム環２４の外周面に設けたギア部２４ｃとステッピングモータ２５の先端部のプーリーギア部２５ａとをタイミングベルト３１により結合している。ステッピングモータ２５は、移動筒７に設けたフランジ部７ｄに取り付けられ移動筒７と一体化されている。したがって、ステッピングモータ２５、円筒カム環２４、タイミングベルト３１は、移動筒７と一体的に光軸方向に移動する。また、ステッピングモータ２５は不図示のフレキシブルプリント基板から駆動信号が伝達され、駆動制御されている。
【００１９】
３２は、フォトインタラプターであり、第１移動レンズ群２と第２移動レンズ群３の絶対位置を移動筒７に一体的に設けた遮光壁７ｅで検知するものであり、第２移動レンズ枠１７に一体的に固定されている。２２は第２移動レンズ枠１７に取り付けられてこの第２移動レンズ枠１７とともに一体的に光軸方向に移動する絞り装置である。２３は絞り装置２２を駆動する絞りモータであり、不図示のフレキシブルプリント基板から駆動信号が伝達され、駆動制御されている。
【００２０】
以上により、ステッピングモータ２５、絞りモータ２３、フォトインタラプター３２を繋げた一本のフレキシブルプリント基板（不図示）は、１つの前側ユニットとして構成している。１９，２０は光軸方向に延びるガイドバーである。これらガイドバー１９，２０はそれぞれ、光軸方向後端部がＣＣＤホルダー１内に設けられた片端支持部１ｂ，１ｃに固定され、前端部がＣＣＤホルダー１の前端部に一体的に結合された金属板２１に固定されている。なお、金属板２１は、ＣＣＤホルダー１の前端部に設けられた位置決めダボ１ｄにより位置決めされている。
【００２１】
１８は第３移動レンズ群４を保持する第３移動レンズ枠である。この第３移動レンズ枠１８に設けられたスリーブ部１８ａはガイドバー１９に嵌合し、Ｕ溝部１８ｂがガイドバー２０に係合している。これにより、第３移動レンズ枠１８は、スリーブ部１８ａとガイドバー１９との嵌合により光軸方向に移動ガイドされ、Ｕ溝部１８ｂとガイドバー２０との係合によりガイドバー１９を中心とした回転が阻止される。２６は第３移動レンズ枠１８に取り付けられたラックである。２７は第３移動レンズ枠１８を光軸方向に移動させるためのステッピングモータであり、その出力軸として設けられた送りネジ２８にラック２６がかみ合っている。このため、ステッピングモータ２７が回転すると、送りネジ２８とラック２６とのかみ合い作用によって第３移動レンズ枠１８が光軸方向に駆動される。２９は送りネジ２８を保持するモータ保持部材であり、ステッピングモータ２７の駆動部の近傍に配置されたモータ固定部２９ａにより光軸方向からＣＣＤホルダー１に固定されている。ステッピングモータ２７は、不図示のフレキシブルプリント基板から駆動信号が伝達され、フォトインタラプター３３により絶対位置を検出し、駆動制御される。以上により、不図示のステッピングモータ２７用のフレキシブルプリント基板と共に、１つの後側ユニットとして構成することができる。
【００２２】
次に、以上のように構成されたレンズ鏡筒の動作を説明する。図２の沈胴（収納）状態（非撮影状態）から撮影動作に入るために図３のワイド状態にするために、ステッピングモータ３０に駆動信号が伝達される。そうすると、ステッピングモータ３０は回転し、ステッピングモータ３０の出力はカム環６の大ギア部６ａに伝達される。移動筒７は、カム環６のカム溝部６ｂに係合するテーパーコロ１０と案内筒５に設けた案内溝部５ｃとの係合によって回転が阻止されている。このため移動筒７はカム環６が回転することにより、テーパーコロ１０とカム環６のカム溝部６ｂとの係合作用によって光軸方向に駆動される。これにより移動筒７は図２の沈胴状態から案内筒５の前方に突出した図３の撮影状態（ワイド状態）に移行する。
【００２３】
図８はカム環６のカム溝６ｂの展開図である。図中６ｃは、カム環６のカム溝部６ｂに係合するテーパーコロ１０の位置が図２の沈胴位置に相当する。６ｄはテーパーコロ１０の位置が図３、図４、図５のそれぞれワイド、ミドル、テレ状態の撮影状態となる。したがって、沈胴状態からワイド状態にするときステッピングモータ３０を、フォトインタラプター３４が切り替るまで駆動し、切り替り検知位置から所定のパルス数を送る。そしてテーパーコロ１０を図８の位置６ｄまで駆動させることにより、図３のワイド状態となる。図８の６ｅは後述するマクロ撮影に際してカム環６の回動によって移動筒７が変位する位置である。図８のカム溝６ｂは任意のズーム位置（６ｄ）から移動筒６を移動させてマクロ撮影が行われることを示している。また、図９は、移動筒７に設けた円筒カム環２４のカム溝２４ａ、２４ｂの展開図である。
【００２４】
図２の沈胴状態では、第１移動レンズ枠９に設けたテーパーピン９ｃが図９の第１移動レンズ枠９用のカム溝２４ａの位置２４ｅで係合している。そして第２移動レンズ枠１７のテーパーピン１７ｃが図９の第２移動レンズ枠１７用のカム溝２４ｂの位置２４ｇで係合している。カム溝部２４ａの位置２４ｅとカム溝部２４ｂの位置２４ｇは、図５のテレ状態での使用カム位置であり、第１移動レンズ群２と第２移動レンズ群３が光軸方向で最も接近した位置で、沈胴状態を形成させてある。このため、図２の沈胴状態から図３のワイド状態にする時には、移動筒７に一体的に配設したステッピングモータ２５を第２移動レンズ枠１７に一体的に固定したフォトインタラプター３２からの出力信号が切り替るまで駆動する。そして切り替り検知位置２４ｈから所定のパルス数を送り、テーパーピン９ｃ、１７ｃがワイド状態でのカム溝２４ａ、２４ｂの位置２４ｄ，２４ｆまで移動筒７を駆動させる。
【００２５】
この際、第１移動レンズ枠９は、ガイドバー１４、１５によりガイドおよび回転阻止されながら円筒カム環２４の外周面に設けたカム溝部２４ａとテーパーピン（カムフォロアー）９ｃとの係合作用によって光軸方向に駆動される。また、第２移動レンズ枠１７は、ガイドバー１３、１５によりガイドおよび回転阻止されながら円筒カム環２４のカム溝部２４ｂ第２移動枠１７に一体的に設けたとテーパーピン（カムフォロアー）１７ｃとの係合作用によって光軸方向に駆動される。また、同時に、ステッピングモータ（駆動源）２７にも駆動信号を伝達し、フォトインタラプター３３により絶対位置を検出し、第３移動レンズ枠１８を図３のワイド状態に移動させる。
【００２６】
図３のワイド状態から図２の沈胴状態にするときの移動は、沈胴状態からワイド状態への移動と逆である。そして、ワイド状態から図４、図５に示すそれぞれミドル、テレ状態とするには、ステッピングモータ３０は駆動させず、つまりカム環６は駆動させない。そして、ステッピングモータ２５を駆動させて第１移動レンズ枠９と第２移動レンズ枠１７とを移動させ、更には、ステッピングモータ２７を駆動させて第３移動レンズ枠１８をそれぞれミドル、テレ状態まで駆動させる。
【００２７】
本実施例では、ステッピングモータ２５、２７は沈胴からワイド状態とするとき、及びズーミングに際して駆動している。本実施形でのレンズ鏡筒では、広角端（ワイド端）から望遠端（テレ端）の撮影時のズーミングを移動筒７に設けたアクチュエータ２５と円筒カム環２４で移動レンズ群２、３及び移動レンズ枠９、１７を移動筒に対して相対的に光軸方向に移動させるようにした。このため、ステッピングモータ３０の減速ギア列で駆動させた場合に比べて、静音化が容易となる。また、アクチュエータ２５と円筒カム環２４を移動筒７内に設ける構成としたので、外観部に特別な出っ張りを設けることなく、大型化しないで静音化が容易となる。
【００２８】
次に、撮影状態からマクロ撮影状態にするために、図１０のフローチャートを用いて説明する。ここでの実施例ではテレ端において、マクロ撮影を行うテレマクロとする。但し、本実施例のマクロ撮影はテレマクロに限らず任意のズーム位置において可能である。また、ここでの各種の動作はレンズ鏡筒内又はカメラ本体内に設けたＣＰＵで行われる。
【００２９】
図１０のステップ＃２で不図示のカメラ側でマクロＳＷがＯＮされると、現在の焦点距離の判定をステップ＃３にて行う。ステップ＃３にてレンズ群中のズームレンズのズーム位置が望遠端の位置とカメラ本体側のＣＰＵ内の判定手段で判定されると、ステップ＃４にいく。そしてステップ＃４にてステッピングモータ３０を駆動させ、カム環６を回動させて移動筒７に固定したテーパーコロ１０を図８のカム溝６ｂから位置６ｅまで移動させる。これにより第１、第２移動レンズ枠９、１７を物体側へ移動している。ステッピングモータ３０への供給パルス数は不図示のＣＰＵ等で駆動予め記憶されているパルス数にて駆動させる。また、同時に、ステッピングモータ２７も駆動させ第３移動レンズ枠１８も移動させる。このとき、周知のフォトインタラプター３３の切り替り位置からステッピングモータ２７への供給パルス数で、不図示のＣＰＵ等でカウントされている。したがって、ステッピングモータ２７は、不図示のフレキシブルプリント基板から駆動信号が伝達され、第３移動レンズ枠１８を所定の位置まで移動させる。これによって図１１に示すテレマクロ撮影状態としている。
【００３０】
次にステップ＃３にてＣＰＵ内の判定手段で非望遠端のズーム位置と判定されると、ステッピングモータ３０及びステッピングモータ２７を前述したステップ＃４と同様駆動させる。また、ステッピングモータ２５もフォトインタラプター３２が切り替るまで駆動し、切り替り検知位置２４ｈから所定のパルス数を送り、図９のテレ端の状態でのカム溝２４ａ、２４ｂにテーパーピン９ｃ、１７ｃが位置２４ｅ、２４ｇまで駆動させる。そしてテレ端とした後にテレマクロ撮影を行う。尚、マクロ撮影は、どのズーム位置からも移動筒７を移動させても可能である。
【００３１】
以上のように、本実施例では、図３、図４、図５のそれぞれワイド・ミドル・テレのズーム位置等の各焦点距離から、図１１に示すレンズ群全体を繰り出す構成とし、マクロ撮影を行っている。これにより簡単な構成にもかかわらずフォーカス延長マクロ方式に比べて十分な高倍率を得ることができる。また、本実施例ではテレマクロの設定を説明したが、テレマクロと同様ワイドマクロに設定することも可能である。なお、本実施形態では、デジタルスチルカメラに用いられるレンズ鏡筒について説明したが、本発明は、ビデオカメラやフィルムカメラといった他の光学機器のレンズ鏡筒にも同様に適用することができる。
【００３２】
以上説明したように、本実施例によれば広角端から望遠端の撮影時のズーミングをアクチュエータ２５と円筒カム環２４を用いて移動筒内のレンズ群を移動させるようにした。これにより、ステッピングモータ３０の減速ギア列で駆動させた場合に比べて、静音化が容易となる。また、アクチュエータ２５と円筒カム環２４を移動筒７内に一体的に設ける構成としたので、外観部に特別な出っ張りを設けることなく、大型化しないで静音化が容易となる。さらには、マクロ撮影状態ではレンズ群全体を繰り出す構成とし、簡単な構成にもかかわらずフォーカス延長マクロ方式に比べて十分な高倍率を得ることが容易となる。また、沈胴方式を用いた構成であってもビデオカメラレンズと同様なアクチュエータを含むレンズ群移動機構とすることができるので、静音化が可能となり、アクチュエータを移動筒内に設けたので、レンズ鏡筒が大型化することがない。また、レンズ鏡筒を用いた光学機器としてはカメラ本体等からのマクロ撮影設定状態に設定するときには現在の焦点距離を認識し、カム環の駆動源とは異なる駆動源を動かすか否かを判定する判定手段を設けた。これにより、ズーム領域の望遠端点（テレマクロ）、あるいは広角端点（ワイドマクロ）等にすることができる。
【符号の説明】
【００３３】
１  ＣＣＤホルダー
２  第１移動レンズ群
３  第２移動レンズ
４  第３移動レンズ
５  案内筒
６  カム環
７  移動筒
９  第１移動レンズ枠
１７  第２移動レンズ枠
１８  第３移動レンズ枠
２４  円筒カム環
２５  ステッピングモータ（円筒カム環２４駆動用）
２７  ステッピングモータ（第３レンズ移動枠駆動用）
３０  ステッピングモータ（カム環６駆動用）
【図１】
2010204613.tif 000003
【図２】
2010204613.tif 000004
【図３】
2010204613.tif 000005
【図４】
2010204613.tif 000006
【図５】
2010204613.tif 000007
【図６】
2010204613.tif 000008
【図７】
2010204613.tif 000009
【図８】
2010204613.tif 000010
【図９】
2010204613.tif 000011
【図１０】
2010204613.tif 000012
【図１１】
2010204613.tif 000013